(57)【要約】【課題】きわめて安全に炎感知器の作動試験を行うことができる炎感知器用試験器を提供する。【解決手段】所定の試験光を放射するガスバーナ２０と、試験光を所定の態様で遮蔽するチョッパ３０と、ガスバーナ２０及びチョッパ３０を収納する筐体１０と、を備え、試験光により炎感知器の作動試験を行う炎感知器用試験器において、ガスバーナ２０は、その略鉛直方向上方の上方領域Ａ１に向かう上方試験光Ｌ１と、その斜め上方の斜方領域Ａ２に向かう斜方試験光Ｌ２と、を放射するように構成され、チョッパ３０は、上方試験光Ｌ１及び斜方試験光Ｌ２を断続的に横切って遮蔽するように構成される。【選択図】        図３
2004171181.tif 000002
【特許請求の範囲】
【請求項１】
所定の試験光を放射する試験光源と、前記試験光を所定の態様で遮蔽する遮蔽手段と、前記試験光源及び前記遮蔽手段を収納する筐体と、を備え、前記試験光により炎感知器の作動試験を行う炎感知器用試験器において、
前記試験光源は、
その略鉛直方向上方の上方領域に向かう上方試験光と、その斜め上方の斜方領域に向かう斜方試験光と、を放射するように構成され、
前記遮蔽手段は、
前記上方試験光及び前記斜方試験光を断続的に横切って遮蔽するように構成される
ことを特徴とする炎感知器用試験器。
【請求項２】
前記筐体は、
前記試験光源の側方を覆う側壁を有することを特徴とする請求項１に記載の炎感知器用試験器。
【請求項３】
前記側壁は、
前記斜方試験光を通過させる開放部を有することを特徴とする請求項２に記載の炎感知器用試験器。
【請求項４】
前記開放部は、
前記斜方試験光の通過量を制御するようにその大きさが変更可能とされることを特徴とする請求項３に記載の炎感知器用試験器。
【請求項５】
前記試験光源は、
ガスボンベから供給されるガスを燃焼させて前記上方試験光及び前記斜方試験光を放射するガスバーナであることを特徴とする請求項１から４の何れか一項に記載の炎感知器用試験器。
【請求項６】
前記遮蔽手段は、
周方向に沿って所定の間隔で配置された複数の周壁を備え、略水平方向に延在する軸を中心に前記周壁が前記試験光源の周囲を回転するように構成された略筒状のチョッパであることを特徴とする請求項１から５の何れか一項に記載の炎感知器用試験器。
【請求項７】
前記筐体は、
放熱用通気口を有することを特徴とする請求項１から６の何れか一項に記載の炎感知器用試験器。
【請求項８】
前記放熱用通気口は、
略鉛直方向下方に開かれていることを特徴とする請求項７に記載の炎感知器用試験器。
【請求項９】
時間を計測するタイマと、
前記タイマによる計測時間が所定の時間を超えた場合に所定の警報を行う警報手段と、
を備えることを特徴とする請求項１から８の何れか一項に記載の炎感知器用試験器。
【発明の詳細な説明】
【０００１】
【発明の属する技術分野】
本発明は、炎感知器用試験器に関する。
【０００２】
【従来の技術】
従来より、高天井面や高所の壁面等に取り付けられた炎感知器の作動試験を行うための方法が種々提案されている。例えば、規格化された火皿の中に燃料（ノルマルヘプタン）を入れ、この燃料を燃焼させて発生させた試験用炎を用いて試験を行う方法や、前記した試験用炎の代わりにライタやランプ等の擬似炎を用いて試験を行う方法等が提案されている。
【０００３】
しかし、前記した試験用炎を用いた試験方法を採用すると、試験用炎によって室内を汚染・損傷してしまう。また、前記した擬似炎を用いた試験方法を採用すると、ライタやランプ等を、高所に取り付けられた炎感知器の至近距離に配置する必要があるため、作業がきわめて困難であるという問題がある。
【０００４】
そこで、近年においては、ボンベに充填した可燃性ガスをガスバーナで燃焼させて所定の放射線を放出させ、この放射線を放物面形状の反射板に反射させることによって指向性を有する試験光を発生させる試験器が提案されている（例えば、特許文献１参照。）。
【０００５】
【特許文献１】
実開平５−９２８９４号公報（第１頁、第１図）
【０００６】
【発明が解決しようとする課題】
前記した特許文献１に記載の試験器は、指向性を有する試験光を発生させるように構成されているため、炎感知器の監視エリアを確認する試験（監視エリア確認試験）を行う際には、斜め上方に配置された炎感知器の方向に試験光を向けるために、三脚等を使用して装置全体を傾斜させて試験光の光軸方向を調整する必要がある。
【０００７】
しかし、このように可燃性ガスやガスバーナを搭載した装置全体を傾斜させると、不測の事故が発生するおそれがあり、安全性に問題があった。
【０００８】
本発明の課題は、きわめて安全に炎感知器の作動試験を行うことができる炎感知器用試験器を提供することである。
【０００９】
【課題を解決するための手段】
以上の課題を解決するため、請求項１に記載の発明は、
所定の試験光を放射する試験光源と、前記試験光を所定の態様で遮蔽する遮蔽手段と、前記試験光源及び前記遮蔽手段を収納する筐体と、を備え、前記試験光により炎感知器の作動試験を行う炎感知器用試験器において、
前記試験光源は、
その略鉛直方向上方の上方領域に向かう上方試験光と、その斜め上方の斜方領域に向かう斜方試験光と、を放射するように構成され、
前記遮蔽手段は、
前記上方試験光及び前記斜方試験光を断続的に横切って遮蔽するように構成される
ことを特徴とする。
【００１０】
請求項１に記載の発明によれば、試験光源の略鉛直方向上方の上方領域に配置された炎感知器と、試験光源の斜め上方の斜方領域に配置された炎感知器と、の双方に試験光（上方試験光及び斜方試験光）を放射することができる。従って、炎感知器の監視エリア確認試験を行う際に、従来の試験器のように三脚等を使用して装置自体を傾斜させる必要がないので、試験時の安全性を格段に向上させることができる。
【００１１】
また、請求項１に記載の発明によれば、遮蔽手段は、上方試験光と斜方試験光との双方を断続的に横切って遮蔽するように構成されるので、例えば、焦電型検出素子を用いた炎感知器の作動試験においては、上方領域に配置された炎感知器と、斜方領域に配置された炎感知器と、の双方のセンサ出力を大きくすることができる。従って、試験器と炎感知器との距離が長い場合でも良好に作動試験を行うことができる。
【００１２】
請求項２に記載の発明は、請求項１に記載の炎感知器用試験器において、
前記筐体は、
前記試験光源の側方を覆う側壁を有することを特徴とする。
【００１３】
請求項２に記載の発明によれば、筐体は、試験光源の側方を覆う側壁を有するので、試験光源から放射される試験光が余分な領域に漏れるのを阻止することができる。従って、作動試験を行わない炎感知器に試験光が放射されて炎感知器が誤作動するのを防ぐことができる。また、試験光源の側方を側壁によって覆うので、試験光源としてガスバーナ等の火器を使用する場合にも安全性を確保することができる。
【００１４】
請求項３に記載の発明は、請求項２に記載の炎感知器用試験器において、
前記側壁は、
前記斜方試験光を通過させる開放部を有することを特徴とする。
【００１５】
請求項３に記載の発明によれば、側壁に設けられた開放部から斜方試験光を通過させることができるので、斜方試験光の放射範囲を拡大することができる。
【００１６】
請求項４に記載の発明は、請求項３に記載の炎感知器用試験器において、
前記開放部は、
前記斜方試験光の通過量を制御するようにその大きさが変更可能とされることを特徴とする。
【００１７】
請求項４に記載の発明によれば、開放部の大きさを変更して斜方試験光の通過量を制御することができるので、斜方試験光の放射範囲を変更することができる。従って、従来の試験器のような光軸方向の調整が不要となるので、試験を容易に行うことができる。
【００１８】
請求項５に記載の発明は、請求項１から４の何れか一項に記載の炎感知器用試験器において、
前記試験光源は、
ガスボンベから供給されるガスを燃焼させて前記上方試験光及び前記斜方試験光を放射するガスバーナであることを特徴とする。
【００１９】
請求項６に記載の発明は、請求項１から５の何れか一項に記載の炎感知器用試験器において、
前記遮蔽手段は、
周方向に沿って所定の間隔で配置された複数の周壁を備え、略水平方向に延在する軸を中心に前記周壁が前記試験光源の周囲を回転するように構成された略筒状のチョッパであることを特徴とする。
【００２０】
請求項６に記載の発明によれば、回転するチョッパの周壁によって上方試験光及び斜方試験光を断続的に横切って遮蔽することができる。
【００２１】
請求項７に記載の発明は、請求項１から６の何れか一項に記載の炎感知器用試験器において、
前記筐体は、
放熱用通気口を有することを特徴とする。
【００２２】
請求項７に記載の発明によれば、筐体は、放熱用通気口を有するので、発熱量の大きい試験光源を使用した場合でも、使用後の試験器を冷却することができる。この結果、試験器を安全に取り扱うことができる。
【００２３】
請求項８に記載の発明は、請求項７に記載の炎感知器用試験器において、
前記放熱用通気口は、
略鉛直方向下方に開かれていることを特徴とする。
【００２４】
請求項８に記載の発明によれば、放熱用通気口が略鉛直方向下方に開かれているので、試験光源から放射される試験光が外部上方に漏れるのを防止することができる。また、外部からの埃等の侵入を阻止することができる。
【００２５】
請求項９に記載の発明は、請求項１から８の何れか一項に記載の炎感知器用試験器において、
時間を計測するタイマと、
前記タイマによる計測時間が所定の時間を超えた場合に所定の警報を行う警報手段と、
を備えることを特徴とする。
【００２６】
請求項９に記載の発明によれば、タイマによる計測時間が、所定時間、例えば炎感知器の作動試験時間を超えた場合に、警報手段によって所定の警報を行うことができるので、炎感知器の作動試験の経過を確認することができる。また、試験光源としてガスバーナを用いた場合には、その燃焼時間が長くならないように警告することができるので、安全性が向上する。
【００２７】
【発明の実施の形態】
以下、本発明の実施の形態について、図面を参照しながら説明する。
【００２８】
まず、図１から図４を用いて、本実施の形態に係る炎感知器用試験器（以下、「試験器」という）の構成について説明する。
【００２９】
図１は、試験器の構成を説明するためのものであり、（ａ）は平面図、（ｂ）は正面図、（ｃ）は右側面図、（ｄ）は背面図、（ｅ）は試験器の右側面に設けられた扉１４を開放した状態を示す図、（ｆ）は試験器の上面に設けられたカバー１３を取り除いた状態を示す図である。図２（ａ）は図１（ｆ）のＡ−Ａ部分の断面図であり、図２（ｂ）は図１（ｆ）のＢ−Ｂ部分の断面図である。図３は、試験器の開放部と試験光の放射範囲との関係を説明するための説明図である。図４は、試験器の操作パネル５０の拡大図である。
【００３０】
本実施の形態に係る試験器は、所定の試験光を放射することにより、炎感知器の作動試験を行うものである。試験器は、アルミ製の筐体１０、ガスバーナ２０、ガスバーナ２０から放出される試験光を所定の態様で遮蔽するチョッパ３０、等を備えて構成されている。
【００３１】
筐体１０は、図１に示すように略直方体状を呈し、ガスバーナ２０やチョッパ３０を収納するものである。筐体１０の内部は、隔壁１９によって燃焼室１１とカートリッジ室１２とに分割されている（図１（ｅ）、（ｆ）及び図２（ｂ）参照）。
【００３２】
燃焼室１１には、図２（ｂ）に示すように、ガスバーナ２０、ガスバーナ２０が固定されるガスバーナ載置台２１、ガスバーナ載置台２１が固定される図示されていないアングル等が配置されている。
【００３３】
カートリッジ室１２には、図１（ｅ）に示すように、ガスバーナ２０に供給される可燃性ガスを充填したガスボンベ２２、チョッパ３０を回転させる電動モータ４０、操作パネル５０、図示されていない回路基板、電源としての乾電池等が配置されている。乾電池は、カートリッジ室１４の背面に設けられた電池ボックス１５に収納され、筐体１０の外部から交換可能とされている。なお、乾電池の代わりに充電池や商用電源を採用してもよく、乾電池、充電池及び商用電源を併用するようにしてもよい。
【００３４】
筐体１０の上部には、開閉着脱自在なカバー１３が取り付けられており、図１（ｆ）に示すように、カバー１３を開くとガスバーナ２０やチョッパ３０が露出して、ガスバーナ２０から放射される試験光を上方に放出することができる。また、筐体１０の側方には、開閉自在な扉１４が設けられており、扉１４を開くことによりカートリッジ室１２にアクセスすることができる。
【００３５】
ガスバーナ２０は、本発明における試験光源であり、ガスボンベ２２から供給される可燃性ガスを燃焼させて、所定の試験光を放射するものである。ガスバーナ２０は、図２に示すようにガスバーナ載置台２１の上に上向きで固定されており、図示されていない着火ボタンを押すことによって点火される。
【００３６】
ガスバーナ２０の側方は、筐体１０の側壁１６、１７、１８と、燃焼室１３とカートリッジ室１４を仕切る隔壁１９と、によって覆われている。これら側壁１６、１７、１８及び隔壁１９により、ガスバーナ２０から放射される試験光の漏れを防止して、他の炎感知器の誤作動を阻止することができるとともに、試験器を安全に取り扱うことができる。
【００３７】
ガスバーナ２０の炎からは、上方領域に向かう上方試験光Ｌ１と、斜方領域に向かう斜方試験光Ｌ２と、が放射される（図３参照）。上方試験光Ｌ１は、炎感知器の動作確認試験（後述）に用いられ、斜方試験光Ｌ２は、炎感知器の監視エリア確認試験（後述）に用いられる。
【００３８】
なお、本発明において「上方領域」とは、ガスバーナ２０の略鉛直方向上方に存在する所定範囲の領域を意味する。本実施の形態においては、ガスバーナ２０の略鉛直方向上方に存在し、ガスバーナ２０の直径と略同一直径の円形底面を有する円筒型領域Ａ１を上方領域としている（図３参照）。
【００３９】
また、本発明において「斜方領域」とは、図３に示すように、ガスバーナ２０の斜め上方に存在する所定範囲の領域を意味する。本実施の形態においては、円筒型領域Ａ１の周囲に存在する円環型領域Ａ２を斜方領域としている。円環型領域Ａ２の内径は円筒型領域Ａ１の直径と同一とされ、円環型領域Ａ２の外径は筐体１０の側壁１６、１７、１８及び隔壁１９の上端の位置と、ガスバーナ２０の位置と、の相対関係によって決定される。
【００４０】
なお、側壁１６、１７、１８、隔壁１９の何れか（以下、「一の側壁」という）に開放部を設けることによって、円環型領域Ａ２の外径を変更することもできる。例えば、一の側壁の上端が図３の位置「ａ」にある場合における円環型領域Ａ２の外径を「Ｒａ」とすると、一の側壁に開放部を設けて上端を図３の位置「ｂ」まで下げることによって、円環型領域Ａ２の外径を「Ｒｂ（＞Ｒａ）」まで広げることができる。さらに開放部を大きくして上端を図３の位置「ｃ」位置まで下げることによって、円環型領域Ａ２の外径を「Ｒｃ（＞Ｒｂ）」まで広げることができる。
【００４１】
このように、一の側壁に設けられた開放部から斜方試験光Ｌ２を通過させることにより、斜方試験光Ｌ２の放射範囲（円環型領域Ａ２）を拡大することができる。また、開放部の大きさを変更して斜方試験光Ｌ２の通過量を制御することにより、斜方試験光Ｌ２の放射範囲（円環型領域Ａ２）を変更することができる。従って、従来の試験器のような光軸方向の調整が不要となるので、試験を容易に行うことができる。
【００４２】
ガスボンベ２２は、カートリッジ室１２内に着脱自在に設置される。ガスボンベ２２には流量調整弁２３が設けられており、この流量調整弁２３を操作することによってガスバーナ２０に供給するガス量を調整することができる。また、ガスボンベ２２のガスをガスバーナ２０に供給するための（図示されていない）供給配管は、アングルと筐体１０とを連結する軸の内部に挿通されている。なお、ガスバーナ２０及びガスボンベ２２は、火力を大きくするために２台ずつ設けられている（図１（ｅ）、（ｆ）及び図２（ｂ）参照）。
【００４３】
また、筐体１０の側壁１６、１８には、作動試験によってきわめて高温になった燃焼室１１を冷却する目的で、放熱用通気口１６ａ、１８ａが設けられている。これら放熱用通気口１６ａ、１８ａから外部の空気を流入させることにより、ガスバーナ２０やその周辺部分の冷却を早めることができる。また、放熱用通気口１６ａ、１８ａは、略鉛直方向下方に開かれているので、ガスバーナ２０から放出される試験光が外部上方に漏れることがなく、かつ、外部からの埃等の侵入を阻止することができる。なお、これら放熱用通気口１６ａ、１８ａは、燃焼時の空気流入口としても機能する。
【００４４】
チョッパ３０は、本発明における遮蔽手段であり、ガスバーナ２０から放射された上方試験光Ｌ１及び斜方試験光Ｌ２を断続的に横切って遮蔽するように構成されている。チョッパ３０は、図２に示すように、周方向に沿って開口部３１を挟んで配置された４枚の周壁３２を備え、略水平方向に延在する固定軸３６を中心に周壁３２がガスバーナ２０の周囲を回転するように構成された断面正八角形の角筒状体である。
【００４５】
チョッパ３０の両側壁３４には、図２（ｂ）に示すように軸受け３５が設けられており、この軸受け３５は、筐体１０の側壁１７及び隔壁１９に設けられた固定軸３６に、図示されていないベアリングを介して回転自在に取り付けられている。また、一方の軸受け３５には、電動モータ４０の軸に固定されたモータ側歯車４１と噛み合うチョッパ側歯車３７が設けられている。これらモータ側歯車４１及びチョッパ側歯車３７を介して電動モータ４０の回転がチョッパ３０に伝達されることにより、チョッパ３０が固定軸３６を中心に回転するように構成されている。
【００４６】
操作パネル５０には、図４に示すように、電源をオン・オフする電源スイッチ５１、チョッパ３０の作動をオン・オフするチョッパスイッチ５２、電源灯５３、電圧低下灯５４、試験灯５５、放音孔５６等が設けられている。電源灯５３は電源オン時に点灯し、電圧低下灯５４は乾電池の電圧が低下した場合に点灯する。試験灯５５は炎感知器の作動試験中に連続点灯し、作動試験終了後に点滅する。操作パネル５０の内部には、図示していない回路基板やブザーが設けられている。
【００４７】
また、図示されていないが、操作パネル５０の内部には、時間を計測するタイマが設けられている。後述する炎感知器の動作確認試験時にチョッパスイッチ５２をオン操作すると同時に、回路基板に設けられた制御部によってタイマが起動し、この起動時から３０秒経過した時点で、操作パネル５０に設けられたブザーによって放音孔５６から警報音が出力されるようになっている。すなわち、ブザーは本発明における警報手段である。
【００４８】
本実施の形態においては、チョッパスイッチ５２又は電源スイッチ５１をオフ操作すると警報音の出力が停止されるように構成している。これらタイマ及びブザーは、試験時間の目安を提供するとともに、３０秒以上燃焼させることで試験器が過剰に加熱されることを阻止するために設けられる。
【００４９】
次に、図５を用いて、本実施の形態に係る試験器を用いた炎感知器の作動試験について説明する。図５は、作動試験における試験器の配置態様を示す説明図である。
【００５０】
＜動作確認試験について＞
最初に、天井面に取り付けられた炎感知器Ｈの正常動作を確認するための試験（動作確認試験）の手順について説明する。まず、カバー１３を外した状態の試験器を、略水平な床面上の炎感知器Ｈの略鉛直方向下方の位置（動作確認位置）Ｐ１に載置する（図５参照）。このとき、炎試験器Ｈは、試験器の略鉛直方向上方の上方領域（円筒型領域Ａ１）に配置されている。次いで、試験器の電源スイッチ５１をオン操作した後、チョッパスイッチ５２をオン操作して電動モータ４０を駆動させることによりチョッパ３０を回転させる。
【００５１】
次いで、着火ボタンを押すことによってガスボンベ２２から供給された可燃性ガスを燃焼させてガスバーナ２０から炎を放出させ、炎感知器Ｈに向けて上方試験光Ｌ１を放射させる。なお、この際、ガスバーナ２０からは上方試験光Ｌ１とともに斜方試験光Ｌ２も放射されている。
【００５２】
チョッパスイッチ５２のオン操作時から３０秒経過するまで（すなわち警報音が出力されるまで）に炎感知器Ｈが作動すれば、炎感知器Ｈが正常であることが確認される。一方、チョッパスイッチ５２のオン操作時から３０秒経過するまでに炎感知器Ｈが作動しなければ、炎感知器Ｈに異常があることが確認される。
【００５３】
＜監視エリア確認試験について＞
次に、天井面に取り付けられた炎感知器Ｈの監視エリアを確認する試験（監視エリア確認試験）について説明する。まず、カバー１３を外した状態の試験器を、略水平な床面上の、炎感知器Ｈの監視エリアの限界位置（監視エリア確認位置）Ｐ２に載置する（図５参照）。このとき、炎試験器Ｈは、試験器の斜め上方の斜方領域（円環型領域Ａ２）に配置されている。次いで、試験器の電源スイッチ５１をオン操作した後、チョッパスイッチ５２をオン操作して電動モータ４０を駆動させることによりチョッパ３０を回転させる。
【００５４】
次いで、着火ボタンを押すことによってガスボンベ２２から供給された可燃性ガスを燃焼させてガスバーナ２０から炎を放出させ、炎感知器Ｈに向けて斜放試験光Ｌ２を放射させる。なお、この際、ガスバーナ２０からは斜方試験光Ｌ２とともに上方試験光Ｌ１も放射されている。
【００５５】
チョッパスイッチ５２のオン操作時から３０秒経過するまで（すなわち警報音が出力されるまで）に炎感知器Ｈが作動すれば、試験器の載置された位置が炎感知器Ｈの監視エリア内であることが確認される。一方、チョッパスイッチ５２のオン操作時から３０秒経過するまでに炎感知器Ｈが作動しなければ、試験器の載置された位置が炎感知器Ｈの監視エリア外であることが確認される。
【００５６】
続いて、図６を用いて、本実施の形態に係る試験器のチョッパ３０による試験光遮蔽効果について説明する。図６（ａ）は、本実施の形態に係る試験器のチョッパ３０を回転させた場合における炎感知器のセンサ出力を示すグラフであり、図６（ｂ）は、本実施の形態に係る試験器のチョッパ３０を回転させない場合における炎感知器のセンサ出力を示すグラフである。
【００５７】
なお、本実施の形態において使用される炎感知器は、焦電型検出素子によって、炎特有のＣＯ２共鳴放射帯の赤外線波長（約４．３μｍ：図６における「火災検出波長」）と、非火災報識別用の赤外線波長（約４．０μｍ：図６における「参照波長」）と、を同時に監視することにより火災を検出し、火災受信機等へ火災信号を伝送するものである。また、本実施の形態において「センサ出力」とは、赤外線入射量の変化に起因する焦電型検出素子の電圧変化（Ｖ）を検出したものである。図６に示したグラフは、このセンサ出力（Ｖ）を縦軸にとり、時間（ｓ）を横軸にとったものである。なお、本発明は、本実施の形態で示すような火災検出波長と参照波長とを同時に監視する炎感知器の試験に適用することができるだけでなく、火災検出波長のみを監視する炎感知器の試験にも適用することができる。
【００５８】
図６（ａ）、（ｂ）から明らかなように、チョッパ３０を回転させた場合におけるセンサ出力は、チョッパ３０を回転させない場合におけるセンサ出力の２倍以上となっている。これは、チョッパ３０の回転によって焦電型検出素子への赤外線入射量の変化割合が大きくなり、非平衡電荷が多く発生して、焦電型検出素子の電圧変化が大きくなるためである。
【００５９】
チョッパ３０の回転速度が大きくなると、焦電型検出素子への赤外線入射量の変化割合がさらに大きくなるため、センサ出力はさらに大きくなる。また、炎感知器と試験器との距離が長くなると、チョッパ３０を回転させた場合におけるセンサ出力と、チョッパ３０を回転させない場合におけるセンサ出力と、の差は大きくなる。従って、試験器にチョッパ３０を設けて回転させることにより、炎感知器のセンサ出力を大きくすることができ、炎感知器と試験器との距離を長くした場合においても作動試験を行うことができる。
【００６０】
本実施の形態に係る試験器においては、試験光源であるガスバーナ２０によって、ガスバーナ２０の略鉛直方向上方の上方領域（円筒型領域Ａ１）に配置された炎感知器と、ガスバーナ２０の斜め上方の斜方領域（円環型領域Ａ２）に配置された炎感知器と、の双方に試験光（上方試験光Ｌ１及び斜方試験光Ｌ２）を放射することができる。従って、炎感知器の監視エリア確認試験を行う際に、従来の試験器のように三脚等を使用して装置自体を傾斜させる必要がないので、試験時の安全性を格段に向上させることができる。
【００６１】
また、本実施の形態に係る試験器においては、電動モータ４０でチョッパ３０を回転させることにより、チョッパ３０の周壁３２によって上方試験光Ｌ１及び斜方試験光Ｌ２の双方を断続的に横切って遮蔽することができる。従って、焦電型検出素子を用いた炎感知器の作動試験において、上方領域（円筒型領域Ａ１）に配置された炎感知器と、斜方領域（円環型領域Ａ２）に配置された炎感知器と、の双方のセンサ出力を大きくすることができる。この結果、上方領域に配置された炎感知器と試験器との距離を長くした場合においても、斜方領域に配置された炎感知器と試験器との距離を長くした場合においても、良好に作動試験を行うことができる。
【００６２】
また、本実施の形態に係る試験器においては、筐体１０は、ガスバーナ２０の側方を覆う側壁１６、１７、１８及び隔壁１９を有するので、ガスバーナ２０から放射される試験光が余分な領域に漏れるのを阻止することができる。従って、作動試験を行わない炎感知器に試験光が放射されてこの炎感知器が誤作動するのを防ぐことができる。また、ガスバーナ２０の炎を側壁１６、１７、１８及び隔壁１９で覆うことにより、試験器を安全に取り扱うことができる。
【００６３】
また、本実施の形態に係る試験器においては、筐体１０が放熱用通気口１６ａ、１８ａを有するので、本実施の形態のように発熱量の大きい試験光源であるガスバーナ２０を使用した場合でも、使用後の試験器を冷却することができる。この結果、試験器を安全に取り扱うことができる。
【００６４】
また、本実施の形態に係る試験器においては、放熱用通気口１６ａ、１８ａが略鉛直方向下方に開かれているので、ガスバーナ２０から放射される試験光が外部上方に漏れるのを防止することができる。また、外部からの埃等の侵入を阻止することができる。
【００６５】
また、本実施の形態に係る試験器においては、チョッパスイッチ５２のオン操作時から３０秒経過した時点で、ブザーによって警報音が出力されるので、炎感知器の作動試験の経過を確認することができる。また、ガスバーナ２０の燃焼時間が長くならないように警告することができるので、安全性が向上する。
【００６６】
なお、以上の実施の形態においては、試験光源としてガスバーナ２０を採用したが、略鉛直方向上方の上方領域に向かう上方試験光と、斜め上方の斜方領域に向かう斜方試験光と、を放射するように構成された試験光源であれば、これに限られるものではない。
【００６７】
また、以上の実施の形態においては、炎感知器の作動試験中に試験灯５５が連続点灯し、作動試験終了後に試験灯５５が点滅するようにしたが、かかる点灯方式に限定されることなく、炎感知器の作動試験中の状態と作動試験終了の状態が識別できればどのような表示方法でも構わない。
【００６８】
また、以上の実施の形態においては、タイマ起動から所定時間（３０秒）経過した時点で警報音を出力するようにしたが、炎感知器の作動試験中に警報音を出力するようにし、所定時間（３０秒）経過後に警報音を停止するようにしてもよい。また、併せて表示灯等による視覚表示を行うこともできる。
【００６９】
また、以上の実施の形態においては、チョッパスイッチ５２のオン操作と同時にタイマを起動させることとしたが、ガスバーナ２０の着火スイッチ操作時にタイマを起動させることとしてもよい。また、タイマ起動時から警報音が出力されるまでの所定時間を３０秒に限らなくてもよい。
【００７０】
また、以上の実施の形態においては、チョッパ３０の形状を角筒状にしたが、試験器から放射される上方試験光Ｌ１及び斜方試験光Ｌ２を断続的に横切って遮蔽できる形状であればよく、例えば、円筒にスリットを設けた形状のチョッパを採用することもできる。また、チョッパに限らず、試験器から放射される上方試験光Ｌ１及び斜方試験光Ｌ２を断続的に横切って遮蔽する他の遮蔽手段を採用することもできる。
【００７１】
また、以上の実施の形態においては、ガスバーナ２０の側方４方向を覆う側壁１６、１７、１８及び隔壁１９を設けたが、正面側の側壁１６を取り除いてガスバーナ２０の側方３方向のみを覆うようにし、ガスバーナ２０の正面側を露出させるように構成することもできる。
【００７２】
【発明の効果】
請求項１に記載の発明によれば、試験光源の略鉛直方向上方の上方領域に配置された炎感知器と、試験光源の斜め上方の斜方領域に配置された炎感知器と、の双方に試験光（上方試験光及び斜方試験光）を放射することができる。従って、炎感知器の監視エリア確認試験を行う際に、従来の試験器のように三脚等を使用して装置自体を傾斜させる必要がないので、試験時の安全性を格段に向上させることができる。
【００７３】
また、請求項１に記載の発明によれば、遮蔽手段は、上方試験光と斜方試験光との双方を断続的に横切って遮蔽するように構成されるので、例えば、焦電型検出素子を用いた炎感知器の作動試験においては、上方領域に配置された炎感知器と、斜方領域に配置された炎感知器と、の双方のセンサ出力を大きくすることができる。従って、試験器と炎感知器との距離が長い場合でも良好に作動試験を行うことができる。
【００７４】
請求項２に記載の発明によれば、筐体は、試験光源の側方を覆う側壁を有するので、試験光源から放射される試験光が余分な領域に漏れるのを阻止することができる。従って、作動試験を行わない炎感知器に試験光が放射されてこの炎感知器が誤作動するのを防ぐことができる。また、試験光源の側方を側壁によって覆うので、試験光源としてガスバーナ等の火器を使用する場合にも安全性を確保することができる。
【００７５】
請求項３に記載の発明によれば、側壁に設けられた開放部から斜方試験光を通過させることができるので、斜方試験光の放射範囲を拡大することができる。
【００７６】
請求項４に記載の発明によれば、開放部の大きさを変更して斜方試験光の通過量を制御することができるので、斜方試験光の放射範囲を変更することができる。従って、従来の試験器のような光軸方向の調整が不要となるので、試験を容易に行うことができる。
【００７７】
請求項６に記載の発明によれば、回転するチョッパの周壁によって上方試験光及び斜方試験光を断続的に横切って遮蔽することができる。
【００７８】
請求項７に記載の発明によれば、筐体は、放熱用通気口を有するので、発熱量の大きい試験光源を使用した場合でも、使用後の試験器を冷却することができる。この結果、試験器を安全に取り扱うことができる。
【００７９】
請求項８に記載の発明によれば、放熱用通気口が略鉛直方向下方に開かれているので、試験光源から放射される試験光が外部上方に漏れるのを防止することができる。また、外部からの埃等の侵入を阻止することができる。
【００８０】
請求項９に記載の発明によれば、タイマによる計測時間が、所定時間、例えば炎感知器の作動試験時間を超えた場合に、警報手段によって所定の警報を行うことができるので、炎感知器の作動試験の経過を確認することができる。また、試験光源としてガスバーナを用いた場合には、その燃焼時間が長くならないように警告することができるので、安全性が向上する。
【図面の簡単な説明】
【図１】本発明の実施の形態に係る試験器の構成を説明するためのものであり、（ａ）は平面図、（ｂ）は正面図、（ｃ）は右側面図、（ｄ）は背面図、（ｅ）は試験器の右側面に設けられた扉を開放した状態を示す図、（ｆ）は試験器の上面に設けられたカバーを取り外した状態を示す図である。
【図２】（ａ）は図１（ｆ）のＡ−Ａ部分の断面図であり、（ｂ）は図１（ｆ）のＢ−Ｂ部分の断面図である。
【図３】本実施の形態に係る試験器の一の側壁に開放部を設けた場合における、開放部と試験光の放射範囲との関係を説明するための説明図である。
【図４】図１に示した試験器の操作パネルの拡大図である。
【図５】動作確認試験及び監視エリア確認試験における試験器の配置態様を示す説明図である。
【図６】（ａ）は、本実施の形態に係る試験器のチョッパを回転させた場合における炎感知器のセンサ出力を示すグラフであり、（ｂ）は、本実施の形態に係る試験器のチョッパを回転させない場合における炎感知器のセンサ出力を示すグラフである。
【符号の説明】
１０            筐体
１６〜１８      側壁
１９            隔壁
２０            ガスバーナ（試験光源）
２２            ガスボンベ
３０            チョッパ（遮蔽手段）
３２            周壁
３６            固定軸（軸）
Ａ１            上方領域
Ａ２            斜方領域
Ｌ１            上方試験光
Ｌ２            斜方試験光
１６ａ、１８ａ  放熱用通気口
【図１】
2004171181.tif 000003
【図２】
2004171181.tif 000004
【図３】
2004171181.tif 000005
【図４】
2004171181.tif 000006
【図５】
2004171181.tif 000007
【図６】
2004171181.tif 000008